(57)【特許請求の範囲】
【請求項１】
食品陳列用冷凍冷蔵オープンショーケース（以下、ショーケースと略称する）の開口部の上部に配置され開口部を自在に開閉してショーケース内の食品類の保冷を行うためのシャッタ装置であって、該シャッタ装置は、開口部を閉止するために隣接して配設される保冷カーテンと、該保冷カーテン間及び該保冷カーテンとショーケースの側板との間の隙間を封止するための封止膜と、保冷カーテンを開閉自在に巻回するために開口部の上部に配置される単一のローラ機構部とそれらを収納するケースとからなり、封止膜は、その一端部を保冷カーテンの側縁に設けられた収納用凹部に固着された状態で内包されると共に隙間の封止時において相手側の保冷カーテンの側縁に設けられた収納用凹部及びショーケース側板に設けられた連結部材に折り返し連結される構造からなり、かつ封止膜及び相手側の保冷カーテンに設けられた連結部材は収納用凹部に内包された状態では保冷カーテンの表面とほぼ一致又はそれ以下のレベル位置に収納される厚み構造のものからなることを特徴とする保冷シャッタ装置。
【請求項２】
保冷カーテンには、該保冷カーテンの巻回方向に沿う案内線が設けられ、保冷シャッタのケース及びショーケース下部にはこの案内線と合致する位置に誘導線が設けられることを特徴とする請求項１に記載の保冷シャッタ装置。
【発明の詳細な説明】
【０００１】
【発明の属する技術分野】
本発明は、デパートやスーパマーケット等のショーケースの開口部を閉止して保冷する保冷シャッタ装置に係り、特に、円滑巻回ができ、保冷カーテン間等の隙間を効果的に封止する簡便構造の保冷シャッタ装置に関する。
【０００２】
【従来の技術】
デパートやスーパマーケット等には冷凍品等を陳列する比較的大きなショーケースが多数個配置されている。このものは買物客が出入りしている時間帯には内部の食品を取り易いようにその開口部は開放状態になっている。しかしながら、買物客がいなくなる夜間や休日等においてはショーケース内の冷気が漏れることを防止し省電力化を図る必要があり、この開口部の閉止手段としてはシャッタが通常用いられている。図７は従来一般に使用されているショーケース５とこの開口部２１を閉止する従来の保冷シャッタ１９とスラット２０及びナイトカバー２０ａ等を示すものである。ショーケース５は一方側に開口部２１を有し、食品の並べられる陳列棚２２と、これを支持する壁体２３と、壁体２３とショーケース外壁との間の冷気通路２４と、冷気通路２４内の冷気循環用ファン２５及びエバポレータ３１と、冷気吹出口２６及び冷気吸込口２７と、内部の照明ランプ２８等とからなる。保冷シャッタ１９はショーケース５の開口部２１に開閉自在に上下するスラット２０と、これを巻き取るための駆動部２９及びケース３０とからなり、ショーケース５の開口部２１の上に設けられている。また、ナイトカバー２０ａは薄い樹脂フィルム状のものからなる。冷気循環用ファン２５により冷気吸込口２７から冷気通路２４内に吸い込まれた冷気はエバポレータ３１で更に冷却され冷気吹出口２６から吹き出された陳列棚２２上の食品等を冷却し、その後、循環して使用される。
【０００３】
【発明が解決しようとする課題】
昼間時においてはスラット２０やナイトカバー２０ａは巻き上げられ、開口部２１が開放された状態にある。このため、ショーケース５内の冷気は店内空気と混り、結果としてショーケース５内の冷気の冷却効率は下る。従って、余分の電力を加えてショーケース５内の冷気を所定の保冷温度に保つ必要があり、電力消費量の増大を招く。一方、夜間や休日においては開口部２１はスラット２０やナイトカバー２０ａにより閉止されるが、次のような問題点がある。従来の保冷シャッタはスラット構造のものからなるためシャッタの外形が大きく、また、操作音が大きい。更に、夏期にスラット面に結露が起り、水滴処理に多くの労力を要する。また、スラット２０を支保し隙間を塞ぐためのガイドレールを必要とし、その取扱いが煩雑であるため保冷効果が大きいにも拘らず余り普及されていない。一方、ナイトカバー２０ａは安価で操作性もよいが、保冷効果が低い。また、隣接するナイトカバー２０ａ，２０ａ間には隙間があり、更に図１のショーケース側板１４とナイトカバー２０ａ間にも隙間が生じ、冷気が外部に洩れ、保冷効果が低下する。更に、この隙間から各種異物が出入りし内部の食品類に害を与える恐れがある。このため、これらの隙間を簡便な手段により閉止することが要請されているが、適当なものが見当らない。
【０００４】
本発明は、以上の要請に鑑みて発明されたものであり、簡便な軽量安価構造からなり、省電力化ができ、静粛で操作性、取扱性がよく、結露の恐れも少なく、外観品質も良く、着脱可能で既設のショーケースは勿論、新設ショーケースにも取付けが可能な保冷シャッタ装置を提供することを目的とする。
【０００５】
【課題を解決するための手段】
本発明は、以上の目的を達成するために、本発明の請求項１の保冷シャッタ装置は、ショーケースの開口部の上部に配置され、開口側を自在に開閉してショーケース内の食品類の保冷を行うためのシャッタ装置であって、該シャッタ装置は、開口部を閉止するために隣接して配設される保冷カーテンと、該保冷カーテン間及び該保冷カーテンとショーケースの側板との間の隙間を封止するための封止膜と、保冷カーテンを開閉自在に巻回するために開口部の上部に配置される単一のローラ機構部とそれらを収納するケースとからなり、封止膜は、その一端部を保冷カーテンの側縁に設けられた収納用凹部に固着された状態で内包されると共に隙間の封止時において相手側の保冷カーテンの側縁に設けられた収納用凹部及びショーケース側板に設けられた連結部材に折り返し連結される構造からなり、かつ封止膜及び相手側の保冷カーテンに設けられた連結部材は収納用凹部に内包された状態では保冷カーテンの表面とほぼ一致又はそれ以下のレベル位置に収納される厚み構造のものからなることを特徴とする。以上述べた構成の保冷シャッタを使用することにより保冷性，結露防止性，軽量化，操作性や静粛性の向上及び全体構造が簡便化が図れると共に、隙間が閉止され保冷効果の大幅な向上が図れる。また、着脱可能の構造からなり、既設のショーケースは勿論、新設のショーケースにも簡単に適用することができる。
【０００６】
また、本発明の請求項２の保冷シャッタ装置においては、保冷カーテンには、該保冷カーテンの巻回方向に沿う案内線が設けられ、保冷シャッタのケース及びショーケース下部にはこの案内線と合致する位置に誘導線が設けられることを特徴とする。これにより保冷カーテンを巻回ローラへ巻き込み巻き出しを行う時蛇行防止が容易となり、保冷カーテンの円滑巻回ができる。
【０００７】
【発明の実施の形態】
以下、本発明の保冷シャッタ装置の実施の形態を図面を参照して詳述する。図１及び図２は本実施の形態の保冷シャッタ装置の全体構造を示す正面図及び側断面図である。この保冷シャッタ装置は大別して、ショーケースの開口部２１を閉止するための複数枚の保冷カーテン１と、隣接する保冷カーテン１，１間の隙間８やショーケース側板１４と保冷カーテン１との間の隙間８Ａを封止するための封止膜２，２Ａと、保冷カーテン１を巻回するために開口部２０の上部に配設される単一のローラ機構部３とそれらを収納するケース４等とからなる。
【０００８】
保冷カーテン１や封止膜２は極力軽量で薄厚のものが好ましく、その機能としては、保冷性，断熱性，結露防止性，耐久性，操作性に優れた素材が用いられ、例えば、合成樹脂系，天然系の繊維，布材等が用いられるがこれに限定するものではない。
【０００９】
保冷シャッタ１９はショーケースの開口部２１の上部に配置されるもので、本実施の形態ではショーケース５の上面の前端に配置されるが、ショーケース５の内面側の上部前端に配設されることもある。ローラ機構部３は、ショーケース上面に固定されるブラケット３Ａと、このブラケット３Ａに枢支される巻回ローラ３Ｂと、それを回転駆動するための図略の駆動手段とからなる。また、ショーケース５の開口部下方にある手摺６には保冷カーテン閉止時にその下端を係止するため係止手段７（図２）が設けられている。
【００１０】
図３乃至図６は保冷カーテン１，１間の隙間８や保冷カーテン１とショーケース側板１４との間の隙間８Ａを塞ぐための封止膜２，２Ａの配置される部位の保冷カーテン１の構造や封止膜２，２Ａ，連結部材１１，１２，１３の配設構造を示す図であり、図３，図４，図５は図１のＡ−Ａ線断面の位置における図であり、図６は図１のＢ−Ｂ線断面の位置における図である。
【００１１】
図３は隣接する保冷カーテン１，１間の封止膜２及び連結部材１１を収納する部位の詳細構造を示す。右側の保冷カーテン１の左側縁には必要幅の封止膜２を収納する凹部９を設け、左側の保冷カーテンの右側縁には連結部材１２を収納する凹部１０を設ける。
【００１２】
図４は保冷カーテン１に封止膜２，連結部材１１，１２を収納する詳細図を示す。右側カーテン１の収納用凹部９には封止膜を収納するが、その左端部のみを保冷カーテンの左側縁端に設けた固着部Ｆに固着する。また、左側保冷カーテン１の収納用凹部１０には連結部材１２を固着部Ｆに固着する。なお、固着方法としては接着，融着，縫合等が採用されるがこれに限定するものではない。封止膜２の表面あるいは表裏面には連結部材１２に対応し着脱容易な連結部材１１を設け、また、図１に示すように右側保冷カーテン１の上部及び封止膜２の上部には相対する仮止め部材１５及び１５Ａを設け保冷カーテン巻回前に１５，１５Ａを仮止めして封止膜の巻き込みを容易に行えるようにする。また、連結部材１１，１２は、例えば、公知の市販の面ファスナが用いられる。面ファスナは産業界や日常生活の各分野等において広く使用され、その種類も多く、安価に入手できる。また、連結作業性もよく、着脱が容易にでき、連結強度も高い。また、図４は封止膜２が保冷カーテン１の収納用凹部９に内包され、また、連結部材１２が収納用凹部１０に内包されている状態を示すものである。封止膜２及び連結部材１２は夫々の収納用凹部９及び１０内に収納された状態でその表面は保冷カーテン１の表面とほぼ一致又はそれ以下のレベル位置にある構造（厚み）のものからなる。このため、封止膜２及び連結部材１２を保冷カーテン１の側縁に設けても保冷カーテン１は巻回ローラ３Ｂに円滑に巻回される。
【００１３】
図５は保冷カーテン１，１間に形成されている隙間８を以上の構造の封止膜２により封止する方法を示す図である。まず、封止膜２の右端を収納用凹部９から引き出し、左側に折り返して左側の保冷カーテン１の連結部材１２に押圧する。これにより図５に示すように封止膜２は他方側の保冷カーテン１に連結される。その結果、隙間８が封止される。図１はこの封止膜２による隙間８の封止状態を示す正面図である。一方、封止膜２を元の状態に戻す場合には、封止膜２の連結部材１１と連結手段１２との連結を解除する。これにより封止膜２に生じている復元力により封止膜２が一方側の保冷カーテン１の収納用凹部９内に復帰し、収納用凹部９内に収納されここで仮止め部材１５，１５Ａにより保冷カーテン１内に安定して収納される。
【００１４】
図６は左側の保冷カーテン１の側縁と左側のショーケース側板１４との間の隙間８Ａを封止膜２Ａにより封止する方法を示す図である。ショーケース側板１４には連結部材１２等と同一，類似構造の連結部材１３が設けられる。この連結部材１３に封止膜２Ａの連結部材１１を押圧することにより保冷カーテン１の側縁がショーケース側板１４側に連結され、封止膜２Ａにより隙間８Ａはほぼ完全に封止される。なお、封止膜２Ａの連結部材１１を連結部材１３から引き外すことにより封止膜２Ａはその復元力により容易に元の位置に戻り収納用凹部９内に収納される。図１に示されるように、右側のショーケース側板部の封止方法は左側のショーケース側板部の封止方法と対称である。
【００１５】
一方、図１及び図２の保冷シャッタ装置において保冷カーテン１は巻回ローラ３Ｂに巻き取られるが、垂下されている保冷カーテン１を巻回ローラ３Ｂに円滑に巻回するためには例えば次の手段が採用されている。図１に示すように、保冷カーテン１の幅中心，垂直方向に案内線１６が描かれており、この案内線１６の真上のケース４及び真下の手摺６には誘導線１７が描かれる。保冷カーテン１の下縁全幅にウエイトバー（図略）が付設され、その中央にプルボール１８が設けられている。ウエイトバーは保冷カーテンを垂下，展張し、平坦性を保つために付設され、プルボール１８は保冷カーテンの操作（巻き出し，巻き込み）を容易にするために設けられる。以上の構成において、保冷カーテンの操作は次のように行われる。先ず巻回ローラ３Ｂに巻き込まれた保冷カーテン１の中央に垂下しているプルボール１８を掴み引き下げて開口部下方の手摺６に描かれた誘導線１７に保冷カーテンの案内線１６の下端を一致させ、係止手段７に係止する。係止方法は引掛フックあるいは磁着等任意に選択される。次に、保冷カーテンを巻回ローラに巻き込む場合は、保冷シャッタ下端を係止手段７から外し、プルボール１８を活用して保冷カーテンの案内線１６をケース４の誘導線１７に合わせながら保冷カーテン１を巻回ローラ３Ｂに巻き込んでゆく。以上の操作により、保冷カーテンによるショーケース開口部の閉止及び解除作業が確実容易に実施できる。
【００１６】
以上のように、本発明の保冷シャッタ装置を用いることにより保冷カーテン１，１間の隙間８や保冷カーテン１とショーケース側板１４との間の隙間８Ａが封止され、ショーケース５内の冷気洩れが有効に防止され、省電力化の効果を上げることができる。以上により本発明の目的がすべて達成される。
【００１７】
【発明の効果】
本発明によれば、比較的簡便低コストの手段により保冷カーテン間の隙間や保冷カーテンとショーケース側板との間の隙間を有効に封止でき、省電力化の効果が上げられる。また、隙間封止の操作性がよく、自動戻り性もあり取扱いが容易である。小型，軽量で操作性もよく静粛で使用感が格段に向上する。また、構造が簡単でコンパクトにまとめられ安価であり軽量である。更に、従来のスラット構造のように支柱を用いることなく、作業性の向上と大幅のコストダウンが図れる。また、封止が確実に行われ、保冷効果の向上が図れる。また、既設のショーケースのみならず新設ショーケースにも適用可能である。
【図面の簡単な説明】
【図１】本発明の保冷シャッタ装置の正面図。
【図２】図１の側断面図。
【図３】封止膜の内包される収納用凹部の構造を示す模式部分断面図。
【図４】封止膜の保冷カーテンの収納用凹部への収納状態を示す模式部分断面図。
【図５】封止膜による隙間の隣接する保冷カーテン間の封止方法を説明するための模式部分断面図。
【図６】保冷カーテンと食品陳列用冷凍冷蔵オープンショーケース側板との間の隙間を封止膜で封止する状態を示す模式部分断面図。
【図７】本発明の適用される従来の食品陳列用冷凍冷蔵オープンショーケースの概要構造を示す断面図。
【符号の説明】
１      保冷カーテン
２      封止膜
２Ａ    封止膜
３      ローラ機構部
３Ａ    ブラケット
３Ｂ    巻回ローラ
４      ケース
５      食品陳列用冷凍冷蔵オープンショーケース
６      手摺
７      係止手段
８      隙間
８Ａ    隙間
９      収納用凹部
１０    収納用凹部
１１    連結部材
１２    連結部材
１３    連結部材
１４    食品陳列用冷凍冷蔵オープンショーケース側板
１５    仮止め部材
１５Ａ  仮止め部材
１６    案内線
１７    誘導線
１８    プルボール
１９    保冷シャッタ
２０    スラット
２０ａ  ナイトカバー
２１    開口部
Ｆ      固着部
２２    陳列棚
２３    壁体
２４    冷気通路
２５    冷気循環用ファン
２６    冷気吹出口
２７    冷気吸込口
２８    照明ランプ
２９    駆動部
３０    ケース
３１    エバポレータ
【図１】
0003882007.tif 000002
【図２】
0003882007.tif 000003
【図３】
0003882007.tif 000004
【図４】
0003882007.tif 000005
【図５】
0003882007.tif 000006
【図６】
0003882007.tif 000007
【図７】
0003882007.tif 000008